(57)【要約】      （修正有）【課題】施工作業にかかる手間や準備が容易になり、且つ、板材を塀として使用するのに適した塀支持部材を提供する。【解決手段】塀支持部材１０は、縦方向に延在し、対向する一対の面１３ａ，１３ｂと、一対の面１３ａ，１３ｂをそれぞれの一方端部で接続する接続部１３ｃとから構成される凹部１３と、凹部１３の接続部１３ｃに隣接して設けられ、縦方向に延在し、矩形断面を有する第１支持部材とを含み、凹部１３は、板材を縦方向に保持可能であり、接続部１３ｃは縦方向に延在する凸部１３ｄ，１３ｅを含む。【選択図】図１
2014169570.tif 000002
【特許請求の範囲】
【請求項１】
縦方向に延在し、対向する一対の面と、前記一対の面をそれぞれの一方端部で接続する接続部とから構成される凹部と、
前記凹部の前記接続部に隣接して設けられ、縦方向に延在し、矩形断面を有する第１支持部材を含み、
前記凹部は、板材を縦方向に保持可能であり、前記接続部に縦方向に延在する凸部を含む、塀支持部材。
【請求項２】
前記第１支持部材は前記凹部を２つ有し、
前記２つの凹部は前記第１支持部材に対して、前記凹部の開口側が相互に逆方向になるように設けられている、請求項１に記載の塀支持部材。
【請求項３】
前記凹部は、複数の板材を相互に重ねて縦方向に保持可能である、請求項１または２に記載の塀支持部材。
【請求項４】
前記凸部は前記接続部に一対設けられる、請求項１〜３のいずれかに記載の塀支持部材。
【請求項５】
前記第１支持部材および前記２つの凹部に隣接して設けられた第２および第３の矩形断面を有する部材を含む、請求項２〜４のいずれかに記載の塀支持部材。
【請求項６】
縦方向に延在し、対向する一対の面と、前記一対の面をそれぞれの一方端部で接続する接続部とから構成される凹部と、前記凹部の前記接続部に隣接して設けられ、縦方向に延在し、矩形断面を有する第１支持部材を対向して配置するステップを含み、
前記接続部には、長手方向に延在する凸部が設けられ、
前記対向して配置された凹部に矩形状の板材を挿入するステップとを含む、塀の施工方法。
【請求項７】
前記対向して配置された一対の支持部材を、杭を用いて固定するステップを更に含む、請求項６に記載の塀の施工方法。
【発明の詳細な説明】
【技術分野】
【０００１】
この発明は塀支持部材および塀の施工方法架台に関し、特に、施工の簡単な塀支持部材および塀の施工方法に関する。
【背景技術】
【０００２】
従来の、コンクリートブロック等の塀を容易に施工する方法が、例えば、特開平２００５−１３９８７２号公報（特許文献１）に開示されている。同公報によれば、既製のコンクリートブロックの両側面に、この側面と同一形状を有する板を、この面に対して上下及び左右にずらした状態で、実を形成するように強度を有して固定した実形成板を設けている。
【先行技術文献】
【特許文献】
【０００３】
【特許文献１】特開平２００５−１３９８７２号公報
【発明の概要】
【発明が解決しようとする課題】
【０００４】
従来の塀を容易に施工する方法は上記のように構成されていた。しかしながら、このような方法では、施工は容易になるかもしれないが、施工作業にかかる手間や準備が大変になるという問題があった。また、従来の方法では、板材を塀として使用するのに適した塀支持部材等についての記載がなかった。
【０００５】
この発明は上記のような問題点を解消するためになされたもので、施工作業にかかる手間や準備が容易になり、且つ、板材を塀として使用するのに適した塀支持部材および塀の施工方法を提供することを目的とする。
【課題を解決するための手段】
【０００６】
この発明に係る塀支持部材は、縦方向に延在し、対向する一対の面と、一対の面をそれぞれの一方端部で接続する接続部とから構成される凹部と、凹部の接続部に隣接して設けられ、縦方向に延在し、矩形断面を有する第１支持部材を含む。凹部は、板材を縦方向に保持可能であり、接続部に縦方向に延在する凸部を含む。
【０００７】
好ましくは、第１支持部材は凹部を２つ有し、２つの凹部は第１支持部材に対して、凹部の開口側が相互に逆方向になるように設けられている。
【０００８】
凹部は、複数の板材を相互に重ねて縦方向に保持可能であってもよい。
【０００９】
凸部は接続部に一対設けられてもよい。
【００１０】
第１支持部材および２つの凹部に隣接して設けられた第２および第３の矩形断面を有する部材を含んでもよい。
【００１１】
この発明の他の局面においては、塀の施工方法は、縦方向に延在し、対向する一対の面と、一対の面をそれぞれの一方端部で接続する接続部とから構成される凹部と、凹部の接続部に隣接して設けられ、縦方向に延在し、矩形断面を有する第１支持部材を対向して配置するステップを含み、接続部には、長手方向に延在する凸部が設けられる。方法はさらに、対向して配置された凹部に矩形状の板材を挿入するステップを含む。
【００１２】
好ましくは、対向して配置された一対の支持部材を、杭を用いて固定するステップを更に含む。
【発明の効果】
【００１３】
この発明によれば、施工作業にかかる手間や準備が容易になり、且つ、板材を塀として使用するのに適した塀支持部材および塀の施工方法を提供できる。
【図面の簡単な説明】
【００１４】
【図１】この発明の一実施の形態に係る塀を支持する塀支持部材の断面図である。
【図２】図１に示した塀支持部材の平面、正面、および、側面を示す図である。
【図３】塀支持部材を用いて塀を構築した場合の図である。
【図４】塀支持部材を用いて塀を構築した場合の他の例を示す図である。
【図５】塀支持部材の基礎の施工方法を示す図である。
【発明を実施するための形態】
【００１５】
以下、この発明の実施の形態について図面を参照して説明する。図１は、この発明の１実施の形態に係る塀支持部材の断面図であり、図２は図１に示した塀支持部材の平面図（（図２（Ａ））と、図２（Ａ）において、矢印ＩＩＢ−ＩＢで示す部分の矢視図（図２（Ｂ））と、図２（Ａ）において、矢印ＩＩＣ−ＩＩＣで示す部分の矢視図（図２（Ｃ））である。図１および図２を参照して、塀支持部材１０は、中央部に設けられた矩形状の断面を有する第１支持部材１２と、第１支持部材１２の右側前方に設けられ、第１支持部材１２と一部の壁面を共有するＣ字状の第２支持部材１３と、第２支持部材１３の後方に設けられ、矩形状の断面を有する第３支持部材１４と、第１支持部材１２の左側前方に設けられ、第１支持部材１２と一部の壁面を共有する逆Ｃ字状の第４支持部材１５と、第４支持部材１５の後方に設けられ、矩形状の断面を有する第５支持部材１６とを含む。なお、第３支持部材１４および第５支持部材１６も第１支持部材１２と一部の壁面を共有している。なおここで、Ｃ字状の開口（凹部）とは、矩形において、その長手方向の１辺が開口となっている形状をいう。
【００１６】
また、各支持部材１２〜１６は中空となっているため、軽量化が図られている。さらに、材料としては、アルミ製が好ましい。
【００１７】
第１支持部材１２は前側の辺１２ａと、後側の辺１２ｂと、右側の辺１２ｃと、左側の辺１２ｄとを含む。第２支持部材１３は前側の辺１３ａと、後側の辺１３ｂと、左側の辺１３ｃとを含む。第３支持部材１４は前側の辺１４ａと、後側の辺１４ｂと、右側の辺１４ｃと、左側の辺１４ｄとを含む。第４支持部材１５は前側の辺１５ａと、後側の辺１５ｂと、右側の辺１５ｃとを含む。第５支持部材１６は前側の辺１６ａと、後側の辺１６ｂと、右側の辺１６ｃと、左側の辺１６ｄとを含む。
【００１８】
第１支持部材１２ａの後側の辺１２ｂ（１７ａ）の両端部には、後側を開口とするＣ字状の部分１７(第６支持部材)が形成され、Ｃ字状の部分１７の対向する２辺１７ｂ（図１（Ａ）において右側），１７ｃ（図１（Ａ）において左側）はそれぞれ、第３支持部材の左側部材１４ｄ、および、第５支持部材１６ｃの右側部材１６とその壁の一部を共有している。また、この共有している部分の壁厚は他の部分よりも厚い。
【００１９】
このＣ字状の部分１７は、この断面に係合可能なＴ字状の治具固定して、これを用いて塀支持部材１０本体を外部の他の設備や、地面に固定するために利用できる。
【００２０】
第１支持部材１２の前側の辺１２ａ（図２（Ｂ）に示す手前側の辺）の右側端部は第２支持部材１３の前側の辺１３ａと同一部材である。同様に、第１支持部材１２の前側の辺１２ａの左側端部は第４支持部材１５の前側の辺１５ａと同一部材である。したがって、前側の辺１２ａの全長は、支持部材１３の前側の辺１３ａと第４支持部材１５の前側の辺１５ａと後側の辺１２ｂとの和の寸法を有する。
【００２１】
また、第２支持部材１３の後側の辺１３ｂと、第３支持部材１４の前側の辺１４ａとは同一部材であり、第４支持部材１５の後側の辺１５ｂと第５支持部材１６の前側の辺１６ａとは同一部材である。
【００２２】
また、第１支持部材１２の右側部材１２ｃの長さは第２支持部材１３の左側の辺１３ｃと第３支持部材の左側の辺１４ｄとの和の寸法である。同様に、第１支持部材１２の左側部材１２ｄの長さは第４支持部材１５の右側の辺１５ｂと第５支持部材１６の右側の辺１６ｂとの和の寸法である。
【００２３】
また、第２支持部材１３、第４支持部材１５、および、第６支持部材１７のＣ字状の開口部の両端にはそれぞれ、開口部の対辺に平行な突出部が設けられている。
【００２４】
第２支持部材１３の左側の辺１３ｃおよび第４支持部材１５の右側の辺１５ｃのほぼ中央部には、一対の、断面が半円形状の凸部１３ｄ，１３ｅ、１５ｄ，１５ｅが設けられている。
【００２５】
また、第３支持部材１４の前側の辺１４ａと右側の辺１４ｃとから構成されるコーナー部、および、第６支持部材１６の前側の辺１６ａと左側の辺１６ｄとから構成されるコーナー部には一部開口したねじ孔１４ｅ、１６ｅが設けられている。
【００２６】
次に、塀支持部材１０を用いて塀を支持する状態を説明する。図３はこの状態を示す図である。図３（Ａ）は塀支持部材１０の第２支持部材のＣ字状の開口（凹部）と第４支持部材のＣ字状の開口（凹部）に塀となる部材、ここでは、１枚の所定の板厚を有する板材２０ａ，２０ｂを挿入した状態を示す平面図（図３（Ａ））と、図３（Ａ）において矢印ＩＩＩＢ-ＩＩＩＢで示す部分の矢視図（正面図）である。図３（Ａ）を参照して、板材２０ａはその端部が第２支持部材１３の左側の辺１３ｃに設けられた半円状の断面を有する一対の凸部１３ｄ、１３ｅの頂点と線接触するように設置される。板材２０ｂも同様である。凸部１３ｄ、１３ｅ、１５ｄ，１５ｅは、水切り部として作動する。
【００２７】
塀を構成する板材２０ａ，２０ｂを、その端面が塀支持部材１０の開口部内に設けられた一対の水切り部と線接触するように設置するため、雨によって板材が濡れても、雨水は第２、第４支持部材１３，１５と板材２０ａ，２０ｂとのすき間に沿って下方向に流れるため、雨水によって板材２０ａ，２０ｂが腐る恐れはない。
【００２８】
次に、１枚の板材ではなく、幅寸法の小さい複数の板材を用いて塀を構築する場合について説明する。図４はこの状態を示す図である。図４（Ａ）は間隔を開けて配置された塀支持部材１０ａ，１０ｂの第２支持部材のＣ字状の開口と第４支持部材のＣ字状の開口の間に塀となる部材、ここでは、複数の所定の板厚を有する板材２１〜３０を挿入した状態を示す正面図（図４（Ａ））と、図４（Ａ）において矢印ＩＶＢ-ＩＶＢで示す部分の矢視図（側面図）である。図４（Ａ）を参照して、先の実施の形態と同様に、板材２１〜３０はその端部が第２支持部材１３の左側の辺１３ｃに設けられた半円状の断面を有する一対の凸部１３ｄ、１３ｅの頂点、および、第４支持部材１５の右側の辺１５ｃに設けられた半円状の断面を有する一対の凸部１５ｄ、１５ｅの頂点と線接触するように設置される。なお、複数の板材２１〜３０の間には間隔を設けてもよい。
【００２９】
また、この実施の形態においては、最上段の板材３０の上に笠木３１を設けている。笠木３１はその上方から、第３および第５支持部材１４,１６のねじ孔１４ｅ，１６ｅにねじ止めされている。
【００３０】
また、ここでは、塀支持部材１０ａ，１０ｂが基礎コンクリート６０で固定されている。
【００３１】
次に、塀支持部材１０の基礎について説明する。図５塀支持部材１０の基礎の固定状態を示す平面図（図５（Ａ））と、図５（Ａ）において、矢印ＶＢ-ＶＢで示す部分の矢視図（側面断面図）である。ここでは、塀支持部材１０の転倒を防止するための杭として、鋼管杭３０を使用する。
【００３２】
図５を参照して、塀支持部材１１の施工用の縦穴５０として、段付きの掘削穴５１と５２とを複式スコップ等で掘削する。この杭頭補強の掘削穴５２に、垂直でなくても良い状態で、鋼管杭３０を打ち込む。また、塀支持部材１０は上側の掘削穴５１上に載置する。
【００３３】
ここでは、塀支持部材１０に対して、鋼管杭３０を、隣地境界の反対側に１本設け、塀支持部材１０、鋼管杭３０は、ジオグリッドのような強度部材４０で接続されて、縦穴５０の内部にコンクリートを打設することにより、一体化する。このように、鋼管杭３０を、塀支持部材１０に対して、敷地内に設けることにより、塀支持部材１０の上部の転倒モーメントを、強度部材４０を通じて鋼管杭３０で吸収する。その結果、鋼管杭３０で、隣地境界の近傍において、隣地側または敷地内部側へ転倒することなく、塀支持部材１０を建てることができる。
【００３４】
なお、ここでは、ジオグリッドのような網目状の高強度繊維体の強度部材が巻きつけられて接続されている場合について説明したが、これに限らず、塀支持部材１０のＧＬより低い位置において、間隔を開けて複数のロープ状の強度部材で鋼管杭３０と接続するようにしてもよい。
【００３５】
また、鋼管杭３０には、その中央部に縦筋を設けてもよい。
【００３６】
また、鋼管杭は１本に限らず、複数設けてもよい。
【００３７】
以上のように、強度部材４０で塀支持部材１０と杭３０とを抱き込み、コンクリートを打設し、一体化することにより、隣地側基礎コンクリートのかぶり厚がゼロでも、十分な強度が確保できる。
【００３８】
なお、上記実施の形態においては、塀の材料（面材）として、板材（木）を用いた場合にいて説明したが、これに限らず、アルミなどの金属、ポリカーボネートやアクリルなどの樹脂材など任意の材料を用いて塀を設置する事が出来る。
【００３９】
また、上記実施の形態においては、塀支持部材が中央部を中心として線対称であり、一対の横向きの凹部を有する場合について説明したが、凹部は一方側にのみ設けられていてもよい。
【００４０】
また、上記実施の形態においては、凹部内には一対の凸部が設けられる場合について説明したが、これに限らず、凸部は１個、または、３列以上に設けてもよい。
【００４１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４２】
この発明によれば、施工作業にかかる手間や準備が容易になり、且つ、板材を塀として使用するのに適した塀の施工方法を提供できるため、塀の施工方法として有利に利用される。
【符号の説明】
【００４３】
１０  塀支持部材、１２  第１支持部材、１３  第２支持部材、１４  第３支持部材、１５  第４支持部材、１６  第５支持部材、２０〜３０  板材、３１  笠木、４０  鋼管杭、４１  強度部材、５０  縦穴、５１，５２  掘削穴。
【図１】
2014169570.tif 000003
【図２】
2014169570.tif 000004
【図３】
2014169570.tif 000005
【図４】
2014169570.tif 000006
【図５】
2014169570.tif 000007